(57)【要約】【課題】従来の昇降兼退避用架台と比較して、確実に作業者の転落事故などを防止できるとともに、取扱い性を向上させたトラック荷役作業に用いる昇降兼退避用架台を提供する。【解決手段】トラック１の荷台１ａの横に設置して、荷役作業を行う作業者の昇降及び／又は退避に用いられる昇降兼退避用架台Ａであって、荷台１ａと同等の高さ位置に配設されるステージ板６を有する作業用ステージ部２と、この作業用ステージ部２の前端２ａ側と後端２ｂ側にそれぞれ一端側を回動可能に繋げて設けられた一対の昇降用階段部３、４と、作業用ステージ部２の一側端２ｃ側に回動可能に繋げて設けられ、回動とともに荷台１ａに架設される渡り板１５を有する渡り板部５とを備えて構成する。【選択図】図２
2010196314.tif 000002
【特許請求の範囲】
【請求項１】
トラックの荷台の横に設置して、荷役作業を行う作業者の昇降及び／又は退避に用いられる昇降兼退避用架台であって、
前記荷台と同等の高さ位置に配設されるステージ板を有する作業用ステージ部と、該作業用ステージ部の前端側と後端側にそれぞれ一端側を回動可能に繋げて設けられた一対の昇降用階段部と、前記作業用ステージ部の一側端側に回動可能に繋げて設けられ、回動とともに前記荷台に架設される渡り板を有する渡り板部とを備えて構成されていることを特徴とするトラック荷役作業に用いる昇降兼退避用架台。
【請求項２】
請求項１記載のトラック荷役作業に用いる昇降兼退避用架台において、
前記渡り板部が、前記渡り板に一体に設けられた係合部材を備え、
前記渡り板を回動して前記荷台に架設するとともに、前記荷台と倒した状態の前記トラックの煽り板との隙間に前記係合部材が係合して、前記トラックと連結するように構成されていることを特徴とするトラック荷役作業に用いる昇降兼退避用架台。
【請求項３】
請求項１または請求項２に記載のトラック荷役作業に用いる昇降兼退避用架台において、
前記作業用ステージ部には、少なくとも他側端側に手摺り部材が着脱可能に設けられていることを特徴とするトラック荷役作業に用いる昇降兼退避用架台。
【発明の詳細な説明】
【技術分野】
【０００１】
本発明は、トラック荷役作業に用いる昇降兼退避用架台に関する。
【背景技術】
【０００２】
従来、作業者がトラックの荷台に乗って荷積みや荷降ろし（荷役作業）を行う場合が多々ある。一方、このような荷役作業時に、作業者がトラックのタイヤに足をかけて荷台に昇ったり、積み込んだ荷によって荷台に十分な作業スペースがなくなるなどして、作業者がバランスを崩し転落事故などが発生する場合がある。また、例えばクレーンを用いて荷役作業を行う場合には、クレーン操作時に作業者が荷台の上にいると、やはり転落事故などを招くおそれがある。
【０００３】
これに対し、特許文献１には、トラック荷役作業に用いる昇降兼退避用架台（トラック荷積み荷降ろし用の退避階段）が開示されている。この昇降兼退避用架台は、枠体と、枠体に一体に設けられた退避用踏板及び階段用踏板と、上端部にフックを備えて断面Ｌ字状に形成され、その下端部側を枠体に一体に取り付けて設けられた吊り下げ部材とを備えて構成されている。そして、この昇降兼退避用架台は、トラックの荷台の横に配置するとともに、吊り下げ部材のフックをトラックの煽り板に引っ掛けて設置される。これにより、荷役作業時に、階段用踏板及び退避用踏板によって作業者がトラックの荷台に対し容易に昇降できるようにし、また、クレーン操作時などに作業者が退避用踏板上に退避できるようにしている。
【０００４】
また、特許文献２には、作業用ステージ、タラップ、脚部及びフェンスを有し、作業用ステージの前方端部に脚部を下方に向けて接続し、作業用ステージの後方端部にタラップを下方に向けて接続し、作業用ステージの前方端部に複数のフェンスをほぼ垂直上向きに接続して構成した昇降兼退避用架台（貨物トラック用荷台昇降タラップ）が開示されている。さらに、フェンスに上下方向に移動可能に取り付けられた固定用フック（固定具）を備えて構成されている。そして、この昇降兼退避用架台は、トラックの荷台の横に配置するとともに、固定用フックをトラックの煽り板に引っ掛けて設置される。これにより、荷役作業時に、タラップ及び作業用ステージによって作業者がトラックの荷台に対し容易に昇降できるようにし、また、クレーン操作時などに作業者が作業用ステージ上に退避できるようにしている。
【先行技術文献】
【特許文献】
【０００５】
【特許文献１】特開平１０−２９９３６９号公報
【特許文献２】特開２００６−１５０２号公報
【発明の概要】
【発明が解決しようとする課題】
【０００６】
しかしながら、特許文献１及び特許文献２に開示された昇降兼退避用架台は、トラックの立てた状態の煽り板にフック（固定用フック）を引っ掛けてトラックに連結するように構成されている。このため、昇降時や退避時に、作業者が立てた状態の煽り板を跨いで荷台と昇降兼退避用架台（退避用踏板や作業用ステージ）を行き来することになり、作業者が煽り板に躓いてバランスを崩し、やはり転落事故などが発生するおそれがあった。
【０００７】
また、特許文献１及び特許文献２の昇降兼退避用架台は、各部材を接続して一体形成されているため、運搬、設置に手間がかかり、また、未使用時の保管などに大きなスペースが必要になり、その取扱い性が悪いという問題もあった。
【０００８】
本発明は、上記事情に鑑み、従来の昇降兼退避用架台と比較し、確実に作業者の転落事故などを防止でき、また、取扱い性を向上させることができるトラック荷役作業に用いる昇降兼退避用架台を提供することを目的とする。
【課題を解決するための手段】
【０００９】
上記の目的を達するために、この発明は以下の手段を提供している。
【００１０】
本発明のトラック荷役作業に用いる昇降兼退避用架台は、トラックの荷台の横に設置して、荷役作業を行う作業者の昇降及び／又は退避に用いられる昇降兼退避用架台であって、前記荷台と同等の高さ位置に配設されるステージ板を有する作業用ステージ部と、該作業用ステージ部の前端側と後端側にそれぞれ一端側を回動可能に繋げて設けられた一対の昇降用階段部と、前記作業用ステージ部の一側端側に回動可能に繋げて設けられ、回動とともに前記荷台に架設される渡り板を有する渡り板部とを備えて構成されていることを特徴とする。
【００１１】
この発明においては、作業用ステージ部の前端側と後端側にそれぞれ繋がる一対の昇降用階段部を作業用ステージ部に対して所定角度で配設されるように回動するとともに、これら一対の昇降用階段部の他端（下端部）を設置面（地面）に接地する。これにより、作業用ステージ部を一対の昇降用階段部で支持させて、昇降兼退避用架台を設置することができ、ステージ板をトラックの荷台と同等の高さ位置に配設することが可能になる。そして、煽り板を倒した状態のトラックの横に昇降兼退避用架台を設置し、渡り板部の渡り板を回動することによって、この渡り板を荷台に架設することが可能になる。これにより、昇降用階段部によって、作業者が作業用ステージ部（ステージ板）に対し容易に昇降することができ、従来のように立てた状態の煽り板を跨ぐことなく、作業用ステージ部とトラックの荷台との間を、渡り板部（渡り板）を通じて容易に行き来することが可能になる。
【００１２】
また、作業用ステージ部に昇降用階段部や渡り板部（渡り板）が回動可能に繋げて設けられているため、作業用ステージ部（ステージ板）に重ねるように昇降用階段部や渡り板部を回動して、昇降兼退避用架台をコンパクトにすることが可能になる。
【００１３】
また、本発明のトラック荷役作業に用いる昇降兼退避用架台においては、前記渡り板部が、前記渡り板に一体に設けられた係合部材を備え、前記渡り板を回動して前記荷台に架設するとともに、前記荷台と倒した状態の前記トラックの煽り板との隙間に前記係合部材が係合して、前記トラックと連結するように構成されていることが望ましい。
【００１４】
この発明においては、昇降兼退避用架台をトラックの荷台の横に設置し、渡り板部の渡り板を回動して荷台に架設するとともに、荷台と倒した状態の煽り板との隙間に係合部材を係合させることができる。そして、このように係合部材が係合することにより、昇降兼退避用架台をトラックに繋げることができ（連結することができ）、安定した状態で昇降兼退避用架台を設置することが可能になる。
【００１５】
さらに、本発明のトラック荷役作業に用いる昇降兼退避用架台において、前記作業用ステージ部には、少なくとも他側端側に手摺り部材が着脱可能に設けられていることがより望ましい。
【００１６】
この発明においては、作業用ステージ部に手摺り部材が設けられていることで、昇降時や退避時に作業用ステージ部（ステージ板）に乗った作業者が転落することを確実に防止できる。また、この手摺り部材が着脱可能に設けられていることで、手摺り部材を備えた場合であっても昇降兼退避用架台をコンパクトに収めることができ、その取扱い性を損なうことがない。
【発明の効果】
【００１７】
本発明のトラック荷役作業に用いる昇降兼退避用架台によれば、一対の昇降用階段部を回動するとともに、これら一対の昇降用階段部の他端を接地することにより、ステージ板をトラックの荷台と同等の高さ位置に配設して、昇降兼退避用架台を設置することが可能になる。そして、煽り板を倒した状態のトラックの横に昇降兼退避用架台を設置するとともに渡り板部の渡り板を回動することで、この渡り板を荷台に架設することができる。
【００１８】
これにより、昇降用階段部によって、作業者が作業用ステージ部（ステージ板）に対し容易に昇降することができ、従来のように立てた状態の煽り板を跨ぐことなく、作業用ステージ部とトラックの荷台との間を、渡り板部（渡り板）を通じて容易に行き来することが可能になる。よって、従来の昇降兼退避用架台と比較し、確実に作業者の転落事故などが発生することを防止できる。
【００１９】
また、作業用ステージ部に対して昇降用階段部や渡り板部が回動可能に繋げて設けられているため、作業用ステージ部に重ねるように昇降用階段部や渡り板部を回動してコンパクトにすることが可能になる。これにより、従来の昇降兼退避用架台と比較し、運搬、設置、保管などを容易に行え、その取扱い性を向上させることが可能になる。
【図面の簡単な説明】
【００２０】
【図１】本発明の一実施形態に係るトラック荷役作業に用いる昇降兼退避用架台を示す図である。
【図２】図１のＸ１−Ｘ１線矢視図である。
【図３】図１のＸ２−Ｘ２線矢視図である。
【図４】本発明の一実施形態に係るトラック荷役作業に用いる昇降兼退避用架台の作業用ステージ部及び渡り板部を拡大した図である。
【図５】本発明の一実施形態に係るトラック荷役作業に用いる昇降兼退避用架台の係止機構を拡大した図である。
【図６】本発明の一実施形態に係るトラック荷役作業に用いる昇降兼退避用架台の渡り板部を拡大した図である。
【発明を実施するための形態】
【００２１】
以下、図１から図６を参照し、本発明の一実施形態に係るトラック荷役作業に用いる昇降兼退避用架台について説明する。
【００２２】
本実施形態の昇降兼退避用架台（トラック荷役作業に用いる昇降兼退避用架台）Ａは、図１から図３に示すように、トラック１の荷台１ａの横に設置して、荷役作業を行う作業者の昇降及び／又は退避に用いられるものであり、作業用ステージ部２と、作業用ステージ部２の前端２ａ側と後端２ｂ側にそれぞれ繋げて設けられた一対の昇降用階段部３、４と、作業用ステージ部２の一側端２ｃ側に繋げて設けられた渡り板部５とを備えて構成されている。
【００２３】
作業用ステージ部２は、略矩形板状のステージ板（足場板）６と手摺り部材７を備えて構成されている。手摺り部材７は、上下方向Ｔ１に延びて平行に配設された一対の縦材７ａと、一対の縦材７ａの上端部側同士、中間部同士、下端部側同士をそれぞれ繋ぐように架設された横材７ｂとを備えて形成されている。そして、この手摺り部材７は、固定具８を用いて一対の縦材７ａの下端部側をステージ板６の他側端２ｄに着脱可能に繋げ、ステージ板６の上面から上方に延びるように立設されている。ここで、本実施形態では、図１、図２及び図４に示すように、固定具８が断面コ字状のステージ板保持部８ａと中心軸を上下方向Ｔ１に向けてステージ板保持部８ａの側壁に一体に設けられた筒状の手摺り保持部８ｂとを備えて形成されている。そして、手摺り保持部８ｂの内孔に各縦材７ａの下端部側を挿通し、ステージ板保持部８ａをステージ板６の他側端２ｄに係合させ、さらにステージ板保持部８ａとこのステージ板保持部８ａに係合したステージ板６の他側端２ｄ側に抜け止めピン９（図４）を挿通することにより、固定具８及び抜け止めピン９を介して、手摺り部材７がステージ板６の他側端２ｄ側に着脱可能に取り付けられている。
【００２４】
さらに、図１から図３、図５に示すように、手摺り部材７の一対の縦材７ａにはそれぞれ、上下方向Ｔ１の所定位置に係止機構１０が設けられている。この係止機構１０は、上下に間隔をあけて配設され、一端を縦材７ａに接続してそれぞれ外側に突設した一対の支持部材１０ａと、上方の支持部材１０ａに上端側を、下方の支持部材１０ａに下端側を繋げて支持され、縦材７ａに沿う上下方向Ｔ１に延設されたガイド部材１０ｂと、ガイド部材１０ｂに上下方向Ｔ１に進退自在に支持された環状の係止部材１０ｃとを備えて構成されている。
【００２５】
一対の昇降用階段部３、４はそれぞれ、一対の支持材３ａ、４ａと、これら一対の支持材３ａ、４ａの上端部（一端３ｂ、４ｂ）と下端部（他端３ｃ、４ｃ）の間に所定の間隔をあけて架設された複数の階段材３ｄ、４ｄとを備えて構成されている。すなわち、本実施形態の昇降用階段部３、４は梯子状に形成されている。そして、これら昇降用階段部３、４はそれぞれ、作業用ステージ部２のステージ板６の前端２ａ側と後端２ｂ側にそれぞれ回動可能に繋げて設けられている。このとき、各昇降用階段部３、４は、ステージ板６の延設方向（すなわち水平の前後方向Ｔ２）に直交する水平の左右方向Ｔ３に沿って延びる回動軸線Ｏ１回りに回動可能に設けられている。
【００２６】
また、図１及び図３に示すように、各昇降用階段部３、４は、各支持材３ａ、４ａの下端部３ｃ、４ｃ側が支持材３ａ、４ａの延設方向に伸縮自在とされている。さらに、各支持材３ａ、４ａの上端部３ｂ、４ｂ側には、上端部３ｂ、４ｂから支持材３ａ、４ａの延設方向外側に延出する棒状の延出部１１が設けられている。また、ステージ板６の他側端２ｄ側に配される一方の支持材３ａ、４ａには、図２及び図３に示すように、この支持材３ａ、４ａの延設方向に沿うように配設されるとともに外側に張り出し可能な棒状の張出部材（アウトリガー）１２が設けられている。また、この張出部材１２は、その延設方向に伸縮自在に形成されている。
【００２７】
渡り板部５は、図２から図４、図６に示すように、矩形平板状の渡り板１５と、この渡り板１５に一体に設けられた係合部材１６とを備えて構成されている。渡り板１５は、その一側端１５ａに沿って配設された支持材１７に蝶番１８などを用いて回動可能に繋げられている。また、この支持材１７には、複数の断面コ字状の固定具１９がその側壁を一体に接続して支持材１７の延設方向に所定の間隔をあけて設けられている。そして、渡り部５（渡り板１５）は、図４に示すように、固定具１９をステージ板６の一側端２ｃに係合させるとともに、蝶ボルト２０などを用いて固定具１７とステージ板６を一体に固定することで、支持材１７と固定具１９を介してステージ板６の一側端２ｃ側に着脱可能に取り付けられている。また、このとき、渡り板１５は、その回動軸線Ｏ２がステージ板６の延設方向（前後方向Ｔ２）に沿うように配設される。これにより、渡り板１５は、その上面１５ｂを下方に向けてステージ板６に重ね合わせるように配設された状態から回動軸線Ｏ２回りに回動させると、上面１５ｂを上方に向けて作業用ステージ部２から外側に張り出すように配設される。
【００２８】
一方、係合部材１６は、断面Ｌ字状に形成されており、一辺を渡り板１５の他側端１５ｃ側の下面１５ｄに固設し、他辺が渡り板１５の下面１５ｄから外側に突出するように設けられている。
【００２９】
そして、このように構成した本実施形態の昇降兼退避用架台Ａは、蝶ボルト２０を緩めて渡り板部５をステージ板６（作業用ステージ部２）から取り外し、あるいは渡り板１５を回動してステージ板６に重ね合わせるようにし、また、抜け止めピン９と引き抜いて手摺り部材７をステージ板６から取り外し、さらに、一対の昇降用階段部３、４を縮めた状態にするとともにステージ板６と重ね合わせるように回動することで、コンパクトに収められる。このため、未使用時には、例えば保管時の占有スペースが小さくて済む。
【００３０】
ついで、上記構成からなる本実施形態の昇降兼退避用架台Ａを用いて、作業者がトラック１の荷台１ａに乗って荷積みや荷降ろしの荷役作業を行う方法を説明するとともに、本実施形態の昇降兼退避用架台Ａの作用及び効果について説明する。
【００３１】
本実施形態の昇降兼退避用架台Ａを用いて荷役作業を行う際には、図２から図４に示すように、トラック１の煽り板１ｂを立てた状態から倒した状態にする。そして、このトラック１の荷台１ａの横に昇降兼退避用架台Ａを運搬して配置する。このとき、作業用ステージ部２の手摺り部材７や渡り板部５が取り外され、さらに一対の昇降用階段部３、４をそれぞれステージ板６に重ね合わせてコンパクトに収められているため、昇降兼退避用架台Ａの運搬が容易に行える。
【００３２】
トラック１の荷台１ａの横に運搬した段階で、図４に示すように、固定具８のステージ板保持部８ａをステージ板６の他側端２ｄに係合させるとともに抜け止めピン９を挿通して、手摺り部材７をステージ板６の上面から上方に立設するように取り付ける。さらに、固定具１９をステージ板６の一側端２ｃに係合させるとともに、蝶ボルト２０などを用いて固定具１７とステージ板６を一体に固定して、渡り板部５を作業用ステージ部２に取り付ける。このとき、渡り板１５は、回動によってステージ板６に重ね合わせた状態にしておく。
【００３３】
そして、手摺り部材７と渡り板部５をステージ板６に一体に取り付けるとともに、図１から図３に示すように、一対の昇降用階段部３、４を作業用ステージ部２（ステージ板６）に対して所定角度θで配設されるように回動し、これら一対の昇降用階段部３、４の下端部（他端３ｃ、４ｃ）を地面２１（設置面）に接地する。これにより、作業用ステージ部２が上方に配されるとともに一対の昇降用階段部３、４で支持される。また、このとき、各昇降用階段部３、４の一対の支持材３ａ、４ａの下端部３ｃ、４ｃ側を適宜伸縮させることにより、ステージ板６を水平にし、さらにステージ板６の上面がトラック１の荷台１ａと同等の高さ位置に配されるようにする。
【００３４】
また、このように一対の昇降用階段部３、４を回動して所定角度θで配設すると、図５に示すように、各昇降用階段部３、４の延出部１１の先端側が手摺り部材７に取り付けられた係止機構１０付近に配される。そして、係止機構１０のガイド部材１０ｂに支持された係止部材１０ｃを上下に進退させて、この係止部材１０ｃの内孔に延出部１１の先端側を挿通させる。これにより、延出部１１の先端側が係止部材１０ｃによって係止され、係止機構１０を介して、各昇降用階段部３、４が所定位置に配設した状態で保持される。
【００３５】
ついで、このように一対の昇降用階段部３、４及び作業用ステージ部２（ステージ板６）を所定位置に配設した段階で、図４に示すように、ステージ板６に重なるように設けられた渡り板１５を回動し、煽り板１ｂを倒した状態のトラック１の荷台１ａに架設する。このとき、渡り板１５の下面１５ｄに断面Ｌ字状の係合部材１６が設けられているため、渡り板１５を回動して荷台１ａに架設すると、荷台１ａと煽り板１ｂの隙間Ｈに係合部材１６の他辺が係合する。これにより、係合部材１６（渡り板部５）を介して、昇降兼退避用架台Ａがトラック１に連結され、トラック１から離れるようなことがなく、安定した状態で設置される。
【００３６】
さらに、本実施形態では、各昇降用階段部３、４に張出部材１２が設けられているため、図２及び図３に示すように、この張出部材１２を外側に張り出すとともに伸ばし、その下端を地面２１に接地させることで、各昇降用階段部３、４、作業用ステージ部２ひいては昇降兼退避用架台Ａが張出部材１２によっても支持され、さらに安定した状態で設置されることになる。
【００３７】
そして、作業者が荷役作業を行うために、トラック１の荷台１ａに昇る際には、昇降用階段部３、４から作業用ステージ部２（ステージ板６）上に昇り、この作業用ステージ部２から渡り板部５（渡り板１５）を通じて荷台１ａに昇る。また、荷台１ａから降りる際には、渡り板部５を通じて作業用ステージ部２上に移動し、昇降用階段部３、４から地上に降りる。また、例えばクレーン操作時には、作業者が荷台１ａから作業用ステージ部２に退避する。
【００３８】
このように、昇降時や退避時には、作業者が昇降用階段部３、４によって作業用ステージ部２に対し容易に昇降し、また、従来のように立てた状態の煽り板１ｂを跨ぐことなく、作業用ステージ部２と荷台１ａとの間を行き来することになる。また、本実施形態では、昇降用階段部３、４の上端部３ｂ、４ｂから外側に延出する延出部１１が設けられているため、作業者はこの延出部１１を手摺りとして利用しながら昇降することになる。さらに、係合部材１６（渡り板部５）を介して、昇降兼退避用架台Ａがトラック１に連結され、また、張出部材１２を張り出して、昇降兼退避用架台Ａが安定した状態で設置されているため、昇降時や退避時に昇降兼退避用架台Ａがぐらつくようなことがない。また、作業用ステージ部２のステージ板６上に作業者が乗った際に、この作業用ステージ部２に手摺り部材７が設けられている。よって、作業者の昇降時や退避時に転落事故などが発生することが確実に防止され、好適な状態で荷役作業が行える。
【００３９】
したがって、本実施形態の昇降兼退避用架台Ａによれば、一対の昇降用階段部３、４を回動するとともに、これら一対の昇降用階段部３、４の下端部３ｃ、４ｃを接地することにより、ステージ板６をトラック１の荷台１ａと同等の高さ位置に配設して、昇降兼退避用架台Ａを容易に設置することが可能になる。そして、煽り板１ｂを倒した状態のトラック１の横に昇降兼退避用架台Ａを設置するとともに渡り板部５の渡り板１５を回動することで、この渡り板１５を荷台１ａに架設することができる。
【００４０】
これにより、昇降用階段部３、４によって、作業者が作業用ステージ部２（ステージ板６）に対し容易に昇降することができ、従来のように立てた状態の煽り板１ｂを跨ぐことなく、作業用ステージ部２とトラック１の荷台１ａとの間を、渡り板部５（渡り板１５）を通じて容易に行き来することが可能になる。よって、従来の昇降兼退避用架台と比較し、確実に作業者の転落事故などが発生することを防止できる。
【００４１】
また、作業用ステージ部２に対して昇降用階段部３、４や渡り板部５が回動可能に繋げて設けられているため、作業用ステージ部２に重ねるように昇降用階段部３、４や渡り板部５を回動し、あるいは渡り板部５を取り外して、昇降兼退避用架台Ａをコンパクトにすることが可能になる。これにより、従来の昇降兼退避用架台Ａと比較し、運搬、設置、保管などを容易に行え、その取扱い性を向上させることが可能になる。
【００４２】
また、本実施形態の昇降兼退避用架台Ａにおいては、昇降兼退避用架台Ａをトラック１の荷台１ａの横に設置し、渡り板部５の渡り板１５を回動して荷台１ａに架設するとともに、荷台１ａと倒した状態の煽り板１ｂとの隙間Ｈに係合部材１６を係合させることができる。そして、このように係合部材１６が係合することにより、昇降兼退避用架台Ａをトラック１に繋げることができ（連結することができ）、安定した状態で昇降兼退避用架台Ａを設置することが可能になる。
【００４３】
さらに、作業用ステージ部２に手摺り部材７が設けられていることで、昇降時や退避時に作業用ステージ部２（ステージ板６）に乗った作業者が転落することを確実に防止できる。また、この手摺り部材７が着脱可能に設けられていることで、手摺り部材７を備えた場合であっても昇降兼退避用架台Ａをコンパクトに収めることができ、その取扱い性を損なうことがない。
【００４４】
なお、本実施形態の昇降兼退避用架台Ａにおいては、昇降用階段部３、４を回動して所定位置に配設するとともに、張出部材１２を外側に張り出して接地させることにより、この張出部材１２で昇降用階段部３、４、作業用ステージ部２、ひいては昇降兼退避用架台Ａを支持することが可能になる。これにより、作業者の昇降時や退避時に昇降兼退避用架台Ａがぐらつくようなことがなく、より確実に安定した状態で昇降兼退避用架台Ａを設置することが可能になる。
【００４５】
また、昇降用階段部３、４を回動して所定位置に配設するとともに延出部１１を係止機構１０で係止することで、昇降用階段部３、４を保持することが可能になる。これにより、さらに安定した状態で昇降兼退避用架台Ａを設置することが可能になる。また、この延出部１１は、昇降用階段部３、４を作業者が昇降する際に手摺りとして利用することも可能になる。
【００４６】
以上、本発明に係るトラック荷役作業に用いる昇降兼退避用架台の一実施形態について説明したが、本発明は上記の一実施形態に限定されるものではなく、その趣旨を逸脱しない範囲で適宜変更可能である。
【符号の説明】
【００４７】
１      トラック
１ａ    荷台
１ｂ    煽り板
２      作業用ステージ部
２ａ    前端
２ｂ    後端
２ｃ    一側端
２ｄ    他側端
３      昇降用階段部
３ａ    支持材
３ｂ    上端部（一端）
３ｃ    下端部（他端）
３ｄ    階段材
４      昇降用階段部
４ａ    支持材
４ｂ    上端部（一端）
４ｃ    下端部（他端）
４ｄ    階段材
５      渡り板部
６      ステージ板（足場板）
７      手摺り部材
８      固定具
９      抜け止めピン
１０    係止機構
１１    延出部
１２    張出部材（アウトリガー）
１５    渡り板
１６    係合部材
１７    支持材
１８    蝶番
１９    固定具
２０    蝶ボルト
２１    地面（設置面）
Ａ      昇降兼退避用架台
Ｈ      隙間
Ｏ１    昇降用階段部の回動軸線
Ｏ２    渡り板の回動軸線
Ｔ１    上下方向
Ｔ２    前後方向
Ｔ３    左右方向
【図１】
2010196314.tif 000003
【図２】
2010196314.tif 000004
【図３】
2010196314.tif 000005
【図４】
2010196314.tif 000006
【図５】
2010196314.tif 000007
【図６】
2010196314.tif 000008